(57)【要約】【課題】発電プラントに補給する純水を効率良く安価に調達する。【解決手段】ボイラ５で発生させた蒸気で蒸気タービン６を駆動して発電を行い、蒸気タービン６から排出された蒸気を復水器７で復水させて再びボイラ５に供給する発電システム２と、復水器７に供給する純水を原水から精製する水処理システム３とを備えた発電プラント１において、水処理システム３は、原水を純水に浄化する複数の浄化行程Ａ〜Ｆを備えた浄化装置２８と、発電システム２からの排水の水質を検知する排水水質検知手段１７，１８と、この排水を、その水質に相当する浄化行程Ａ〜Ｆに供給する水処理制御装置７５と、を具備してなることを特徴とする。【選択図】図１
2013169530.tif 000002
【特許請求の範囲】
【請求項１】
ボイラで発生させた蒸気で蒸気タービンを駆動して発電を行い、前記蒸気タービンから排出された蒸気を復水器で復水させて再び前記ボイラに供給する発電システムと、
前記復水器に供給する純水を原水から精製する水処理システムと、
を備えた発電プラントにおいて、
前記水処理システムは、
前記原水を前記純水に浄化する複数の浄化行程を備えた浄化手段と、
前記発電システムからの排水の水質を検知する排水水質検知手段と、
前記排水を、その水質に相当する前記浄化行程に供給する水処理制御手段と、
を具備してなることを特徴とする発電プラントの水処理システム。
【請求項２】
雨水を回収する雨水回収手段と、
前記雨水回収手段により回収された前記雨水の水質を検知する雨水水質検知手段と、
をさらに備え、
前記水処理制御手段は、前記雨水回収手段により回収された前記雨水を、その水質に相当する前記浄化行程に供給することを特徴とする請求項１に記載の発電プラントの水処理システム。
【請求項３】
前記発電システムからの前記排水または前記雨水を回収するランク分けタンクを備え、
前記ランク分けタンクは、水の水質に対応した複数のランク室を備えるとともに、
前記水処理制御手段は、前記排水または前記雨水を、その水質に応じて前記複数のランク室にランク分けし、このようにランク分けされた水を、それぞれその水質に相当する前記浄化行程に供給することを特徴とする請求項１または２に記載の発電プラントの水処理システム。
【請求項４】
前記ランク分けタンクは、純度の高い水を貯留する前記ランク室から純度の低い水を貯留する前記ランク室に水が順次オーバーフローしていく構造であることを特徴とする請求項３に記載の発電プラントの水処理システム。
【請求項５】
ボイラで発生させた蒸気で蒸気タービンを駆動して発電を行い、前記蒸気タービンから排出された蒸気を復水器で復水させて再び前記ボイラに供給する発電システムと、
前記復水器に供給する純水を原水から複数の浄化行程を経て精製する水処理システムと、
を備えた発電プラントにおいて、
前記発電システムからの排水の水質を検知し、
前記排水を、その水質に相当する前記浄化行程に供給することを特徴とする発電プラントの水処理方法。
【請求項６】
雨水を回収し、
前記雨水の水質を検知し、
前記雨水を、その水質に相当する前記浄化行程に供給することを特徴とする請求項５に記載の発電プラントの水処理方法。
【発明の詳細な説明】
【技術分野】
【０００１】
本発明は、蒸気タービンで発電機を駆動する発電プラントの水処理システムおよび水処理方法に関するものである。
【背景技術】
【０００２】
火力発電プラントでは、ボイラで発生させた高温、高圧の蒸気を蒸気タービンに供給して蒸気タービンを高速回転させ、その回転力で発電機を駆動して発電を行っている。蒸気タービンから排出された排気蒸気は復水器に流れ、復水器の内部で海水と熱交換することにより冷却されて復水（凝縮）し、水昇圧ポンプにより昇圧されて補給水としてボイラに供給され、再び蒸気になって蒸気タービンに供給される。
【０００３】
このような蒸気タービンによる発電プラントには、ボイラに供給する補給水となる純水を精製する純水精製設備が付設されている。この純水精製設備では市水、工業用水等を処理して純水を精製している。また、発電プラントにおける使用済みの系統水は、特許文献１，２に開示されているように、排水として処理されていた。なお、ここでいう純水とは導電率を１μＳ／ｃｍ程度以下までに下げた水のことであり、例えばイオン交換水や脱イオン水を含む。
【先行技術文献】
【特許文献】
【０００４】
【特許文献１】特開２００４−１０８２４０号公報
【特許文献２】特開２００８−１９６７１９号公報
【発明の概要】
【発明が解決しようとする課題】
【０００５】
純水精製設備で原水として用いられる市水や工業用水は、発電プラントにおける使用済みの系統水に比べて不純物濃度が高い。このように不純物濃度が高い原水を購入し、これを純水になるまで精製するにはコストが掛かる。その一方で、使用済みの系統水は、不純物濃度が低いにも拘わらず、排水として処理されていたため、非効率的な運用がなされていた。
【０００６】
また、発電プラントの地理的条件によっては、原水の調達が困難で、遠方からタンクローリー車等で運搬したり、河川水を導入したりして原水を確保する必要がある。河川水は、導入設備さえあれば無償で導入できるが、工業用水等と比べるとはるかに不純物濃度が高いため、複雑な精製設備を必要とし、やはりコストが掛かる。
【０００７】
本発明は、かかる従来技術の問題を解決するためになされたものであり、発電プラントに補給する純水を効率良く安価に調達することのできる発電プラントの水処理システムおよび水処理方法を提供することを目的とする。
【課題を解決するための手段】
【０００８】
上記目的を達成するため、本発明に係る発電プラントの水処理システムおよび水処理方法は、以下の構成を備えている。
即ち、本発明に係る発電プラントの水処理システムの第１の態様は、ボイラで発生させた蒸気で蒸気タービンを駆動して発電を行い、前記蒸気タービンから排出された蒸気を復水器で復水させて再び前記ボイラに供給する発電システムと、前記復水器に供給する純水を原水から精製する水処理システムと、を備えた発電プラントにおいて、前記水処理システムは、前記原水を前記純水に浄化する複数の浄化行程を備えた浄化手段と、前記発電システムからの排水の水質を検知する排水水質検知手段と、前記排水を、その水質に相当する前記浄化行程に供給する水処理制御手段と、を具備してなることを特徴とする。
【０００９】
上記の構成によれば、発電システムからの排水が、その水質を排水水質検知手段により検知され、その水質に相当する浄化行程に供給される。発電システムからの排水は、市水や工業用水に比べて不純物濃度が低く、比較的純度が高いため、この排水を、その水質に相当する浄化行程に供給することにより、浄化手段における初期の浄化行程を省くことができる。したがって、市水や工業用水を精製するよりも低いコストで純水を精製し、発電プラントに補給する純水を効率良く安価に調達することができる。
【００１０】
また、本発明に係る発電プラントの水処理システムの第２の態様は、前記第１の態様において、雨水を回収する雨水回収手段と、前記雨水回収手段により回収された前記雨水の水質を検知する雨水水質検知手段と、をさらに備え、前記水処理制御手段は、前記雨水回収手段により回収された前記雨水を、その水質に相当する前記浄化行程に供給することを特徴とする。
【００１１】
上記の構成によれば、雨水が、その水質を雨水水質検知手段により検知され、その水質に相当する浄化行程に供給される。雨水は、もともと天然の蒸留水であるため、その回収時に塵埃等の異物が混入することを防止できれば、市水や工業用水に対して遜色のない純度を持っている。このため、雨水を、その水質に相当する浄化行程に供給することにより、市水や工業用水を購入することなく純水を製造し、発電プラントに補給する純水を効率良く安価に調達することができる。
【００１２】
また、本発明に係る発電プラントの水処理システムの第３の態様は、前記第１または第２の態様において、前記発電システムからの前記排水または前記雨水を回収するランク分けタンクを備え、前記ランク分けタンクは、水の水質に対応した複数のランク室を備えるとともに、前記水処理制御手段は、前記排水または前記雨水を、その水質に応じて前記複数のランク室にランク分けし、このようにランク分けされた水を、それぞれその水質に相当する前記浄化行程に供給することを特徴とする。
【００１３】
上記の構成によれば、発電システムからの排水、または雨水が、浄化手段に供給される前に、ランク分けタンクにおいて、その水質に応じてランク分けされ、このようにランク分けされた水が、それぞれその水質に相当する浄化手段の浄化行程に供給されるため、無駄な浄化行程を省き、排水または雨水を効率良く浄化することができる。
【００１４】
また、本発明に係る発電プラントの水処理システムの第４の態様は、前記第３の態様において、前記ランク分けタンクは、純度の高い水を貯留する前記ランク室から純度の低い水を貯留する前記ランク室に水が順次オーバーフローしていく構造であることを特徴とする。
【００１５】
上記の構成によれば、ランク分けタンクに水質の良い水が優先的に貯留されていくため、浄化手段における浄化が容易になり、無駄な浄化行程を省いて排水または雨水を効率良く浄化し、純水を安価に調達することができる。
【００１６】
また、本発明に係る発電プラントの水処理方法は、ボイラで発生させた蒸気で蒸気タービンを駆動して発電を行い、前記蒸気タービンから排出された蒸気を復水器で復水させて再び前記ボイラに供給する発電システムと、前記復水器に供給する純水を原水から複数の浄化行程を経て精製する水処理システムと、を備えた発電プラントにおいて、前記発電システムからの排水の水質を検知し、前記排水を、その水質に相当する前記浄化行程に供給することを特徴とする。
【００１７】
上記の水処理方法によれば、市水や工業用水に比べて不純物濃度が低く、比較的純度が高い発電システムからの排水が、水質を検知され、その水質に相当する浄化行程に戻される。これにより、初期の浄化行程を省くことができ、市水や工業用水を精製するよりも低いコストで純水を精製し、発電プラントに補給する純水を効率良く安価に調達することができる。
【００１８】
また、上記の発電プラントの水処理方法において、雨水を回収し、前記雨水の水質を検知し、前記雨水を、その水質に相当する前記浄化行程に供給するようにしてもよい。
【００１９】
このようにすれば、市水や工業用水に対して遜色のない純度を持つ雨水が、水質を検知され、その水質に相当する浄化行程に供給される。これにより、市水や工業用水を購入することなく雨水から純水を製造し、発電プラントに補給する純水を効率良く安価に調達することができる。これにより、特に雨量の多い地域においては、市水や工業用水を購入することなく、雨水のみから発電プラントの補給水を調達することができる。
【発明の効果】
【００２０】
以上のように、本発明に係る発電プラントの水処理システムおよび水処理方法によれば、発電プラントからの排水を再利用したり、雨水を利用することにより、市水や工業用水の購入量を低減させ、発電プラントの補給水となる純水を効率良く安価に調達することができる。
【図面の簡単な説明】
【００２１】
【図１】本発明の第１実施形態に係る発電プラントの概略構成図である。
【図２】本発明の第２実施形態に係る発電プラントの概略構成図である。
【発明を実施するための形態】
【００２２】
以下に、本発明の２つの実施形態について、図１、図２を参照しながら説明する。
【００２３】
［第１実施形態］
図１は、本発明の第１実施形態に係る発電プラントの概略構成図である。
この発電プラント１は、発電システム２と、水処理システム３とを備えている。
【００２４】
発電システム２は、ボイラ５で発生させた蒸気で蒸気タービン６を駆動して図示しない発電機を回して発電を行い、蒸気タービン６から排出された蒸気を復水器７で復水させて昇圧ポンプ８により昇圧し、再びボイラ５に供給するように構成されている。復水器７とボイラ５との間は給水系統管９により接続され、この給水系統管９に図示しない復水脱塩装置、低圧ヒータ、高圧ヒータ、脱気器、節炭器等の機器類が接続される。ボイラ５と蒸気タービン６の間は蒸気供給管１０により接続され、この蒸気供給管１０に図示しない過熱器が設けられる。
【００２５】
また、給水系統管９から分岐する系統水排出管１２が排水タンク１３に繋がっている。系統水排出管１２に設けられた仕切弁１４が開かれることにより、給水系統管９やボイラ５等を流れる系統水が全て排出され、排水タンク１３に貯留されるようになっている。発電システム２の通常稼働時は仕切弁１４が閉じられる。なお、ボイラ５の起動時等に排出される温水（熱水）が、ブローダウンタンク１６に一旦受け止められて、温度を下げられた後に排水タンク１３に放流される。排水タンク１３には、発電システム２からの排水の水質を検知する排水水質検知手段として、電気伝導率計１７と濁度計１８が設けられている。
【００２６】
一方、水処理システム３は、発電システム２に供給する純水を原水から精製するシステムであり、原水が貯留される原水タンク２１と、純水が貯留される純水タンク２２との間に、例えば沈渣槽２３、砂濾過装置２４、ＲＯ装置２５、イオン交換樹脂塔２６が配置された構成である。これらの各部材２１，２２，２３，２４，２５，２６は、原水を純水に精製するための複数の浄化行程Ａ〜Ｆ（下記参照）を備えた浄化装置２８（浄化手段）を構成する。
【００２７】
原水タンク２１では、原水を貯留させる原水貯留行程Ａが実行される。
沈渣槽２３では、原水に含まれる、主に肉眼で見える比較的大きな不純物を沈降させて除去する沈渣浄化行程Ｂが実行される。
【００２８】
砂濾過装置２４では、石英質の珪砂等を濾過媒体にして水中の不純物を濾過する砂濾過浄化行程Ｃが実行される。
【００２９】
ＲＯ装置２５では、水を通し、イオンや塩類等の水以外の不純物は透過しない性質を持つ逆浸透膜（Reverse Osmosis Membrane）を用いて水を浄化するＲＯ浄化行程Ｄが実行される。
【００３０】
イオン交換樹脂塔２６は、言わば軟水器であり、ここでは、ボイラの内部に炭酸カルシウム等を主成分とする堆積物が生じて熱効率を低下させることがないように、食塩水で再生したイオン交換樹脂に水を通すことにより、カルシウムイオンやマグネシウムイオン等の硬度成分を食塩に交換させ、堆積物を生成しない軟水にするイオン交換浄化行程Ｅが実行される。
【００３１】
純水タンク２２では、純水（導電率を１μＳ／ｃｍ程度以下までに下げた水。イオン交換水や脱イオン水を含む。）を貯留させる純水貯留行程Ｆが実行される。
これらの各浄化行程Ａ〜Ｆにおける水質（純度）は、Ａ→Ｂ→Ｃ→Ｄ→Ｅ→Ｆの順に高くなっていく。
【００３２】
原水タンク２１には原水を流し込む原水取入管３１と仕切弁３２が設けられている。また、原水タンク２１と各浄化手段２３，２４，２５，２６と純水タンク２２との間が連結管３４，３５，３６，３７，３８により順に連結されている。市水や工業用水を原水として取り入れる場合は、仕切弁３２を開いて原水取入管３１から原水タンクに水を取り入れる。
【００３３】
排水タンク１３からは排水分配管４０が延出し、この排水分配管４０に排水送給ポンプ４１と仕切弁４２が設けられている。排水分配管４０は６本の分岐管４０ａ，４０ｂ，４０ｃ，４０ｄ，４０ｅ，４０ｆに分岐し、これらの分岐管４０ａ〜４０ｆが、それぞれ原水取入管３１と連結管３４〜３８に接続されている。なお、各分岐管４０ａ〜４０ｆには仕切弁４４，４５，４６，４７，４８，４９が設けられている。例えば、仕切弁４１と４９を開き、仕切弁４４〜４８を閉じて、排水送給ポンプ４１を起動することにより、排水タンク１３内の排水を原水タンク２１に供給することができる。
【００３４】
純水タンク２２からは純水供給管５１が延出して復水器７に繋がっている。この純水供給管５１には純水補給ポンプ５２と仕切弁５３が設けられている。
【００３５】
また、水処理システム３には、雨水を回収する雨水回収手段５５と、回収した雨水を貯留する雨水タンク５６が設けられている。雨水回収手段５５としては、例えば発電プラント１の建屋の屋根に降り注ぐ雨水を集めることが考えられる。集められた雨水は雨水供給管５７を経て雨水タンク５６に貯留される。雨水タンク５６には、貯留された雨水の水質を検知する雨水水質検知手段として、電気伝導率計５９と濁度計６０が設けられている。なお、雨水供給管５７から雨水放出管６１が分岐し、ここに仕切弁６２が設けられている。雨水タンク５６が満水になった場合は仕切弁６２を開き、雨水回収手段５５から流れてくる雨水を放流する。
【００３６】
雨水タンク５６からは雨水分配管６４が延出し、この雨水分配管６４に雨水送給ポンプ６５と仕切弁６６が設けられている。雨水分配管６４は６本の分岐管６４ａ，６４ｂ，６４ｃ，６４ｄ，６４ｅ，６４ｆに分岐し、これらの分岐管６４ａ〜６４ｆが、それぞれ原水取入管３１と連結管３４〜３８に接続されている。なお、各分岐管６４ａ〜６４ｆには仕切弁６８，６９，７０，７１，７２，７３が設けられている。例えば、仕切弁６６と７３を開き、仕切弁６８〜７２を閉じて、雨水送給ポンプ６５を起動することにより、雨水タンク５６内の雨水を原水タンク２１に供給することができる。
【００３７】
また、この発電プラントには水処理制御装置７５（水処理制御手段）が設けられている。この水処理制御装置７５は、排水タンク１３に貯留された排水（発電システムで使用された系統水）と、雨水タンク５６に貯留された雨水を、それぞれその水質に相当する浄化行程Ａ〜Ｆに供給するものである。即ち、水処理制御装置７５には発電プラント１の各所に設けられた仕切弁１４，３２，４２，４４〜４９，５３，６１，６６，６８〜７３が接続されており、これらの仕切弁が全て水処理制御装置７５によって開閉制御されるようになっている。また、排水タンク１３に設けられた電気伝導率計１７および濁度計１８と、雨水タンク５６に設けられた電気伝導率計５９および濁度計６０も水処理制御装置７５に接続されている。
【００３８】
発電プラント１は以上のように構成されている。この発電プラント１の水処理システム３おいて、原水タンク２１に貯留された原水は、沈渣槽２３→砂濾過装置２４→ＲＯ装置２５→イオン交換樹脂塔２６の順に流れることにより、その水質が向上して行き、最終的に純水になって純水タンク２２に貯留される。この純水は、水処理制御装置７５によって仕切弁５３が開かれるとともに純水補給ポンプ５２が起動されることによって復水器７に補給される。
【００３９】
排水タンク１３に貯留された排水の水質は、電気伝導率計１７および濁度計１８によって検知され、そのデータが水処理制御装置７５に送られる。また、雨水タンク５６に貯留された雨水の水質は、電気伝導率計５９および濁度計６０によって検知され、そのデータが水処理制御装置７５に送られる。そして、水処理制御装置７５は、排水タンク１３の排水と、雨水タンク５６の雨水を、それぞれの水質に相当する浄化行程Ａ〜Ｆのいずれかに供給する。この場合、水質はプラントにより異なってもよく、特に限定するものではない。
【００４０】
排水タンク１３内に貯留された排水の水質レベルが、例えばイオン交換樹脂塔２６で実行されるイオン交換浄化行程Ｅにおける水質に相当する場合には、仕切弁４２と４５が開かれ、仕切弁４４，４６，４７，４８，４９が閉じられて、排水送給ポンプ４１が起動される。これにより、排水タンク１３の排水が排水分配管４０と分岐管４０ｂと連結管３７を経てイオン交換樹脂塔２６に供給され、ここでイオン交換浄化行程Ｅによる浄化を受けた後、連結管３８を経て純水タンク２２に貯留される。このため、浄化行程Ａ〜Ｄを省くことができる。
【００４１】
また、雨水タン５６ク内に貯留された雨水の水質レベルが、例えばＲＯ装置２５で実行されるＲＯ浄化行程Ｄにおける水質に相当する場合には、仕切弁６６と７０が開かれ、仕切弁６８，６９，７１，７２，７３が閉じられて、雨水送給ポンプ６５が起動される。これにより、雨水タンク５６の雨水が雨水分配管６４と分岐管６４ｃと連結管３６を経てＲＯ装置２５に供給され、ここでＲＯ浄化行程Ｄによる浄化を受けた後、連結管３７を経てイオン交換樹脂塔２６に供給され、ここで更にイオン交換浄化行程Ｅによる浄化を受けた後、連結管３８を経て純水タンク２２に貯留される。このため、浄化行程Ａ〜Ｃを省くことができる。
【００４２】
この発電プラントでは、上記のように、発電システム２からの排水（系統水）の水質を検知し、この排水を、水処理システム３の浄化行程Ａ〜Ｆのうちの、水質が同程度である浄化行程に供給し、ここで浄化させてから純水タンク２２に貯留し、これを復水器７に補給するようにしている。
【００４３】
発電システム２からの排水は、一旦純水に精製された水が閉ループ回路状の給水系統管９を流れただけであり、市水や工業用水に比べて不純物濃度が低く、比較的純度が高いため、例えば原水貯留行程Ａ、沈渣浄化行程Ｂ、砂濾過浄化行程Ｃといった初期の浄化行程はもちろん、場合によってはＲＯ浄化行程Ｄも省くことができる。したがって、市水や工業用水を精製するよりも低いコストで純水を精製し、発電プラント１に補給する純水を効率良く安価に調達することができる。
【００４４】
また、この発電プラントでは、上記のように、雨水回収手段５５により回収した雨水の水質を検知し、この雨水を、水処理システム３の浄化行程Ａ〜Ｆのうちの、水質が同程度である浄化行程に供給し、ここで浄化させてから純水タンク２２に貯留し、これを復水器７に補給するようにしている。
【００４５】
雨水は、もともと天然の蒸留水であるため、その回収時に塵埃等の異物が混入することを防止できれば、市水や工業用水に対して遜色のない純度を持っている。このため、原水貯留行程Ａ、沈渣浄化行程Ｂ、砂濾過浄化行程Ｃといった初期の浄化行程を省くことができ、市水や工業用水を購入してこれを精製するよりも低いコストで純水を精製し、発電プラント１に補給する純水を効率良く安価に調達することができる。特に、雨量の多い地域においては、市水や工業用水を購入することなく、雨水のみから発電プラント１の補給水を調達することができる。
【００４６】
［第２実施形態］
図２は、本発明の第２実施形態に係る発電プラントの概略構成図である。
この発電プラント８１において、図１に示す第１実施形態の発電プラント１と異なる主な点は、排水タンク１３の代わりに排水中継タンク８３が設けられ、この排水中継タンク８３から延びる排水仕分け管８４が排水中継ポンプ８５を介してランク分けタンク８６に繋がっていることと、第１実施形態で排水タンク１３から延出していた排水分配管４０が、この第２実施形態ではランク分けタンク８６から延出していること（接続先は同じ）と、雨水タンク５６から延びる雨水仕分け管８８が仕切弁８９を介してランク分けタンク８６に通じていることである。その他の部分の構成は、第１実施形態の発電プラント１と同様であるため、各部に同一符号を伏して説明を省略する。第１実施形態において排水タンク１３に付設されていた排水水質検知手段としての電気伝導率計１７と濁度計１８は、この第２実施形態では排水中継タンク８３に設けられている。
【００４７】
ランク分けタンク８６は、発電システム２からの排水、または雨水タンク５６からの雨水を回収し、その水質に応じてランク分けするタンクである。ランク分けタンク８６は、水の水質に対応して、例えば６つのランク室８６ａ〜８６ｆを備えている。ここに貯留される水の水質（純度）は、ランク８６ａからランク８６ｆに向かって順次高くなっていく。そして、純度の高い水を貯留するランク室８６ｆから純度の低い水を貯留するランク室８６ａに向って水が順次オーバーフローしていく構造である。ランク室８６ａからオーバーフローした水は排水として処理される。
【００４８】
排水仕分け管８４の下流側端部は、６本の管に分岐し、各々の管が仕切弁９１〜９６を介してランク分けタンク８６の各ランク室８６ａ〜８６ｆの水面上に開放されている。また、各ランク室８６ａ〜８６ｆの底面からそれぞれ延びる管が、６つの仕切弁１０１〜１０６を介して排水分配管４０に繋がっている。仕切弁９１〜９６および仕切弁１０１〜１０６と、雨水仕分け管８８に設けられた仕切弁８９は、それぞれ水処理制御装置７５に接続されており、水処理制御装置７５によって開閉制御されるようになっている。
【００４９】
以上のように構成された発電プラント８１において、発電システム２からの排水（系統水）は、排水中継タンク８３に一旦貯留され、ここで電気伝導率計１７と濁度計１８によって水質を検知される。この水質データは水処理制御装置７５に入力される。水処理制御装置７５は、この水質データに応じて、排水をランク分けタンク８６の複数のランク室８６ａ〜８６ｆにランク分けする。この場合、排水をランク分けする水質データの数値はプラントにより異なってもよく、特に限定するものではない。例えば、排水の水質が純水と比べて遜色無いほど綺麗であれば、水処理制御装置７５は仕切弁９６を開き、仕切弁９１〜９５を閉じて、排水中継タンク８３の排水を最も純度の高いランク室８６ｆに流入させる。
【００５０】
このようにランク分けされた水は、最も純度の高いランク室８６ｆのものから優先的に浄化装置２８に供給される。例えばランク室８６ｆ内の排水の供給先は純水タンク２２となるが、この時には仕切弁１０６，４２，４４が開かれ、仕切弁１０１〜１０５，４５〜４９が閉じられて、排水送給ポンプ４１が起動し、ランク室８６ｆの排水が排水分配管４０、分岐管４０ａ、連結管３８を経て純水タンク２２に供給される。また、ランク室８６ｆ内の排水の供給先は水質データのランクによりプラントに応じて設定可能であり、例えば、純水タンク２２よりも一段純度の低いイオン交換樹脂塔２６に供給してもよい。
【００５１】
ランク室８６ｆ内の水が無くなった場合は、ランク室８６ｅ内の水が、純水タンク２２よりも一段純度の低いイオン交換樹脂塔２６に供給される。この時には仕切弁１０５，４２，４５が開かれ、仕切弁１０１〜１０４，１０６，４４，４６〜４９が閉じられて、排水送給ポンプ４１が起動し、ランク室８６ｅの排水が排水分配管４０、分岐管４０ｂ、連結管３７を経てイオン交換樹脂塔２６に供給される。また、ランク室８６ｅ内の排水の供給先は水質データのランクによりプラントに応じて設定可能であり、例えば、イオン交換樹脂塔２６よりも一段純度の低いＲＯ装置２５に供給してもよい。
【００５２】
同様にランク室８６ｅ内の水が無くなった場合は、ランク室８６ｄ内の排水が、ランク室８６ｄ内の水が無くなった場合は、ランク室８６ｃ内の排水が、ランク室８６ｃ内の水が無くなった場合は、ランク室８６ｂ内の排水が、ランク室８６ｂ内の水が無くなった場合は、ランク室８６ａ内の排水が、プラントに応じて設定された排水の供給先に供給される。
【００５３】
ランク分けタンク８６に排水が少なくなった場合は、仕切弁８９が開かれて、雨水タンク５６に貯留されている雨水が雨水仕分け管８８を経てランク分けタンク８６に供給される。雨水タンク５６内の雨水は、電気伝導率計５９と濁度計６０によって水質を検知され、その水質データが水処理制御装置７５に入力される。水処理制御装置７５は、この水質データに応じて、雨水をランク分けタンク８６の適当なランク室８６ａ〜８６ｆに流入させる。例えば、雨水仕分け管８８の開放端部を可動式にして、各ランク室８６ａ〜８６ｆの上を移動させ、所定のランク室の上で停止させて、雨水を放流するようにしてもよい。
【００５４】
このように、発電システム２からの排水、または雨水タンク５６からの雨水を、一旦ランク分けタンク８６に貯留して水質をランク分けし、このようにランク分けされた水を、それぞれその水質に相当する浄化行程Ａ〜Ｆに供給するようにしたことにより、浄化行程Ａ〜Ｆにおける無駄を省くとともに、浄化装置２８における負担を軽減し、排水または雨水を効率良く浄化して純水を精製することができる。
【００５５】
また、ランク分けタンク８６は、純度の高い水を貯留するランク室８６ｆから、純度の低い水を貯留するランク室８６ａに水が順次オーバーフローしていく構造であるため、ランク分けタンク８６には水質の良い水が優先的に貯留されていく。このため、浄化装置２８における浄化が容易になり、無駄な浄化行程を省いて純水の精製をより効率的に行うことができる。
【００５６】
以上のように、上記各実施形態における水処理システム３および水処理方法によれば、市水や工業用水を購入する必要を少なくし、発電システム２からの排水と、雨水とを有効に利用して純水を精製し、発電システム２の復水器７に補給する純水を効率良く安価に調達することができる。
【００５７】
なお、本発明は上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
例えば、浄化装置２８の構成等は、必ずしも上記実施形態のものでなくてもよい。要するに、複数の浄化行程を備えた浄化手段を有し、その適宜な浄化行程に、排水および雨水を供給して浄化させ、原水から浄化するよりも少ない浄化行程で純水を精製することができればよい。
【符号の説明】
【００５８】
１，８１  発電プラント
２  発電システム
３  水処理システム
５  ボイラ
６  蒸気タービン
７  復水器
１３  排水タンク
１７  電気伝導率計（排水水質検知手段）
１８  濁度計（排水水質検知手段）
２８  浄化装置（浄化手段）
５５  雨水回収手段
５６  雨水タンク
５９  電気伝導率計（雨水水質検知手段）
６０  濁度計（雨水水質検知手段）
７５  水処理制御装置（水処理制御手段）
８３  排水中継タンク
８６  ランク分けタンク
８６ａ〜８６ｆ  ランク室
Ａ  原水貯留行程（浄化行程）
Ｂ  沈渣浄化行程（浄化行程）
Ｃ  砂濾過浄化行程（浄化行程）
Ｄ  ＲＯ浄化行程（浄化行程）
Ｅ  イオン交換浄化行程（浄化行程）
Ｆ  純水貯留行程（浄化行程）
【図１】
2013169530.tif 000003
【図２】
2013169530.tif 000004